(57)【要約】【課題】最近、振込用紙の利用データは光学的に読み取られたり、複写が行われることが多いが、高品質な外観を持たせたアミ点印刷等で色付けされたプリンター用紙の上のデータを光学的な読み取や複写を行うとデータが正確に読み取れなかったり読み取りエラーの原因になり、又複写した場合鮮明な画像が得られない不都合が生じることがある。【解決手段】本発明は、ハンディターミナル用プリンタ用紙の印字される部分に１７５線／インチ以上で面積率が１０％以下の読み取りセンサーに感応しないアミ点印刷を行なうことにより、見やすい高品質のプリントを行なえるようにして従来の問題の解決を図ったものである。【選択図】              図１
2004167993.tif 000002
【特許請求の範囲】
【請求項１】
ガス、水道、電力等の使用量を検針しその結果を現場で印字するようにしたハンディターミナルで使用されるハンディターミナル用プリンタ用紙において、
プリンタ用紙の全面に、１７５線／インチ以上で面積率が１０％以下のアミ点印刷を行なっておき、検針結果のお知らせ、振込用紙を添付した使用料金の請求書、領収書等の異なったパターンの印字をアミ点印刷に選択的に行なえるようにしたことを特徴とするハンディターミナル用プリンタ用紙。
【請求項２】
ガス、水道、電力等の使用量を検針しその結果を現場で印字するようにしたハンディターミナルで使用されるハンディターミナル用プリンタ用紙において、
プリンタ用紙の特定の部分に１７５線／インチ以上で面積率が１０％以下の複数の色の異なるアミ点印刷を行なっておき、検針結果のお知らせ、振込用紙を添付した使用料金の請求書、領収書等の異なったパターンの印字を選択的に行なえるようにしたことを特徴とするハンディターミナル用プリンタ用紙。
【請求項３】
ガス、水道、電力等の使用量を検針しその結果を現場で印字するようにしたハンディターミナルで使用されるハンディターミナル用プリンタ用紙において、
プリンタ用紙の特定の部分に、そのアミ点印刷の少なくとも一つの色が１７５線／インチ以上で面積率が１０％以下であり、検針結果のお知らせ、振込用紙を添付した使用料金の請求書、領収書等の異なったパターンの印字を同一フォーマツトのアミ点印刷に選択的に行なえるようにしたことを特徴とするハンディターミナル用プリンタ用紙。
【請求項４】
ガス、水道、電力等の使用量を検針しその結果を現場で印字するようにしたハンディターミナルで使用されるハンディターミナル用プリンタ用紙において、
プリンタ用紙表面の特定の部分に１７５線／インチ以上で面積率が１０％以下の複数の色の異なるアミ点印刷を行なっておき、検針結果のお知らせ、振込用紙を添付した使用料金の請求書、領収書等の異なったパターンの印字を同一フォーマツトのアミ点印刷に選択的に行なえるようにするとともに、その裏面にはプリントの位置決めのセンサマークと注意書きや広告を印刷したことを特徴とするハンディターミナル用プリンタ用紙。
【発明の詳細な説明】
【０００１】
【発明の属する技術分野】
本発明はガス、水道、電力等の使用量を示す積算メータの値を定期的に検針しその結果を現場で印字すると共に、振込用紙を添付した使用料金の請求書、領収書等の印字も同時に行なえるようにしたハンディターミナルで使用されるハンディターミナル用プリンタ用紙に関するものである。
【０００２】
【発明が解決しようとする課題】
最近ガス、水道、電力等メータの検針にハンディターミナルが広く使用されるようになっている。このハンディターミナルにはガス、水道、電力等の使用量を検針しその結果をお知らせ票、利用料金の自動引落の領収書等として現場で印字し印字結果を切り離して使用者に渡するようにしており、利用料金の自動引落の契約を行なっていない利用者に対しては、検針の結果のデータに基づいて、利用者に利用料金を請求する振込用紙が印字され、これにより利用者は料金の振込を行なえるうようにしているものがある。
この場合のハンディターミナルのプリントの形態は、見やすく、スマートで高品質な外観を持たせるためにプリントデータの内容に応じて、色分けされたアミ点印刷が行われたプリンター用紙が使用され、この上にデータのプリントを行う様にしたものもある。（特開平１１−１１５３５１号）
【０００３】
最近、振込の事務処理を行う郵便局や金融機関では、機械による処理が行われるようになり、振込用紙の利用データは光学的に読み取られたり、複写が行われることが多いが、高品質な外観を持たせたアミ点印刷等で色付けされたプリンター用紙の上にプリントされたデータを光学的な読み取りや複写を行うと色付けの印刷も光学センサーが読み取るために、データが正確に読み取れなかったり読み取りエラーの原因になり、又複写した場合鮮明な画像が得られない不都合が生じることがある。
このような不都合を防止するために、通常ドロップアウトカラーと呼ばれるインキを使用して、人間の目では識別できるが、読み取りセンサーに感応しない色彩で印刷を行うようにしたものもあるが（実開平６−５９０７１号）、ドロップアウトカラーは、非常に限られた色彩のインキしか使用できないという制約があり、色分けが不自由であるため、スマートで高品質な外観を持ったプリントフォーマットを実現することが困難であった。
【０００４】
【課題を解決するための手段】
本発明は、ガス、水道、電力等の使用量を検針しその結果を現場で印字するようにしたハンディターミナルで使用されるハンディターミナル用プリンタ用紙において、印字される部分に１７５線／インチ以上で面積率が１０％以下の読み取りセンサーに感応しないアミ点印刷を行なうことにより、多種類の刷色の印刷による色分けを可能にして、検針結果のお知らせ、振込用紙を添付した使用料金の請求書、領収書等の異なったパターンのプリントをアミ点印刷の上に選択的に行なえるようにして、見やすい高品質のプリントを行なえるようにしたハンディターミナル用プリンタ用紙を実現することにより、従来の問題の解決を図ったものである。
【０００５】
【発明の実施の形態】
【実施例】
ハンディターミナル用プリンタ用紙は感熱記録紙で、その表面にはサーマルヘッドにより黒色のプリントが行われる。
ハンディターミナル用プリンタ用紙の表面にあらかじめ印刷されるアミ点印刷は、プリンタ用紙に色付けし高品質な外観を持たせ、サーマルヘッドにより行われる黒色のプリントの内容が識別しやすいように感熱記録紙の感熱面の上に行われるものである。このアミ点印刷は、プリントデータの機械処理に影響を与えないために高感度の光学読取装置のセンサーにも感応しない必要がある。
このため、各種の色を使用した、線／インチ密度とアミ点面積率（アミ点の構成面積比）のアミ点印刷を行い、最新の高感度の光学読取装置のセンサーを使用して読み取りテストを行った結果、１７５線／インチ、で、かつアミ点面積率（アミ点の構成面積比）１０％以下の構成とすることにより、光学読取装置による読み取りに影響を与えることなく、アミ点印刷に使用するインキが広範囲に設定でき多種類の刷色のアミ点印刷が可能となることが判明した。
【０００６】
アミ点印刷に対する光学読取装置の読み取り機の特性を検査するために下記に示す、実施例１、実施例２に示すアミ点印刷を行ったハンディターミナル用プリンタ用紙の帳票を製造した。これと比較するための比較例１、比較例２、比較例３のハンディターミナル用プリンタ用紙の帳票を製造して比較テストを行った。
「実施例１」
ピンク色のイメージのハンディターミナル用プリンタ用紙の帳票を作成するために、用紙表面（王子製紙株式会社  ＦＨ１０５ＢＳ一５ＡＫ感熱紙）がＵＶインキ（東洋インキ株式会社製５０ローズ）により、１７５線／インチ、面積率１０％のアミ点で印刷されている読み取り帳票（実施例１）を製造した。
プリントデータは感熱紙を黒く印字発色させることにより図１の（ａ）に示すようなデータのプリントを行った。
【０００７】
「実施例２」
緑色のイメ‐ジのハンディターミナル用プリンタ用紙の帳票を作成するために、用紙表面（王子製紙株式会社ＦＨ１０５ＢＳ−５ＡＫ感熱紙）がＵＶインキ（東洋インキ株式会社製６０草）により、２００線／インチ、面積率５％のアミ点で印刷されている読み取り帳票（実施例２）を製造した。
プリントデータは感熱紙を黒く印字発色させることにより図１の（ａ）に示すようなデータのプリントを行った。
「比較例１」
実施例１のハンディターミナル用プリンタ用紙のアミ点印刷の面積率を３０％とした。
プリントデータは感熱紙を黒く印字発色させることにより図１の（ａ）に示すようなデータのプリントを行った。
「比較例２」
実施例２のハンディターミナル用プリンタ用紙のアミ点印刷の面積率を３０％とした。
【０００８】
各実施例及び比較例のプリントデータは、感熱紙を黒く印字発色させることにより図１の（ａ）に示すようなデータのプリントを行った。
「比較例３」
アミ点印刷が無い白紙のハンディターミナル用プリンタ用紙を使用したもの。プリントデータは感熱紙を黒く印字発色させることにより白紙の感熱紙の上に図１の（ｂ）に示すようなデータのプリントを行った。
＊試験方法＊
上記の各実施例と比較例の帳票の光学読み取り装置による読み取りテストを次の方法により行った。
１．イメージスキャナ読み取り試験
試験内容：日本ヒューレットパッカード（株）製のイメージスキャナＳｃａｎｊｅｔ  を標準設定にして、上記の実施例１、実施例２、と比較例１、
比較例２、比較例３  の読み取り試験を行った。
２．カラーコビー機読み取り試験
試験内容：ゼロックス（株）製のカラーコピー機  Ｄｏｃｕｃｏｌｏｒ１２５０  を標準濃度設定にして、上記の実施例１、実施例２、と比較例１、比較例２、比較例３  の読み取り試験を行った。
【０００９】
光学読み取り装置より出力された状態は実施例１、実施例２は図１の（ｃ）のようになり、比較例３は図１の（ｄ）のように鮮明な読み取りが行われたが、比較例１、比較例２は読み取り後の帳票のプリントデータは不鮮明であった。
この光学読み取り装置による読み取り試験の結果を図２に示す。
図２において、○印は、読み取り後の帳票データが鮮明であることを示し、×印は、読み取り後の帳票データが不鮮明であることを示す。
図２の読み取り試験の結果が示すように、イメージスキャナ読み取り試験においても、カラーコビー機読み取り試験においても、本発明による実施例１、実施例２の帳票と比較例３の帳票は読み取り後の帳票データが鮮明であった。これに対して、比較例１、比較例２の帳票は読み取り後の帳票データが不鮮明であった。
図２の読み取り試験の結果が示すように、本発明によりアミ点印刷に使用できるインキの色彩が広範囲に設定できるようになっために、ハンディターミナル用プリンタ用紙に多種類の色を使用することができるようになった。
ハンディターミナル用プリンタ用紙あらかじめ行うアミ点印刷をプリンタ用紙の全面に行った場合にも、任意の位置に行った場合にもプリントされたデータに対して機械読み取りに影響を与えることが無い。
【００１０】
図３は本発明を実施したハンディターミナル用プリンタ用紙一実施例を示す説明図である。図３において、（ａ）はハンディターミナル用プリンタ用紙の表面を、（ｂ）はその裏面を示す。
図３の（ａ）において、ｍはミシン目で、プリント済みの用紙の部分を切り離し易くするために、プリントパターンの一枚ごとの境目に入れられている。Ｐ１はプリントパターンの特定の部分に行われたピンク色のアミ点印刷で、１７５線／インチ以上で面積率が１０％以下に設定されている。
Ｐ２はプリントパターンのピンク色のアミ点印刷以外の部分に行われた赤色のアミ点印刷でその密度の設定は任意である。
図３の（ｂ）において、ｄｔはプリント位置決めの為のセンサーマークである。ハンディターミナルは、データのプリントを行なう場合に、用紙を送り出していき、図３の（ｂ）のｄｔのプリント位置決めの為のセンサーマークを検出するとプリント用紙を停止させ、プリント位置決めを行なう。センサーマークｄｔは各プリントパターンごとに設けられている。ＰＲは注意書や宣伝等の印刷で、各プリントパターンごとに同一の印刷が行われている。このような構成のハンディターミナル用プリンタ用紙はその表面のピンク色のアミ点印刷と赤色のアミ点印刷の部分に各種の異なったパターンのプリントが行なわれる。
【００１１】
図４は、本発明のハンディターミナル用プリンタ用紙各種の異なったパターンのプリントの例を示したものである。図４の（ａ）は、銀行口座より自動引落の契約を行なっている利用者に対して、使用結果を知らせるお知らせ票のプリントの例を、（ｂ）は、銀行口座より自動引落の契約を行なっていない利用者に対して、郵便局から料金支払いを行なうための郵便振替払い込み票兼領収書をプリントした例を、又、（ｃ）は、銀行口座より自動引落の契約を行なっていない利用者に対して、銀行又はコンビニエンスストアから料金支払いを行なうための料金振込票兼領収書のプリントの例を示したものである。
図４の（ａ）（ｂ）（ｃ）の各種のプリントパターンより明らかなように、プリントパターンはそれぞれ異なっても、その表面のピンク色のアミ点印刷Ｐ１と赤色のアミ点印刷Ｐ２の部分に印刷される内容は、ピンク色のアミ点印刷Ｐ１の上には利用データに関するプリントが行われ、又、赤色のアミ点印刷Ｐ２の部分には料金の領収等の利用金の支払いに関するデータがプリントされ、それぞれのプリントの範囲はプリントのパターンが異なっても同じ領域にプリントされるように設定されている。このため、ハンディターミナルの使用者は、任意のプリントパターンを選択してプリンタ用紙にプリントすることができる。この場合のプリントの形態は、プリントデータの内容に応じて、色分けされたアミ点印刷の上にプリントされるため見やすく、スマートで高品質な外観を持ったものとなっている。
【００１２】
利用データに関するプリントが行われるピンク色のアミ点印刷Ｐ１の部分には、振込用紙を添付した使用料金の請求書等がプリントされるが、振込の事務処理が機械により行われる場合、Ｐ１の利用データに関するプリントが行われる部分のアミ点印刷は、１７５線／インチ以上で面積率が１０％以下に設定されているために最近の高感度の光学センサーに対しても、プリントされたデータの光学的な読み取りや、複写に影響が無い。
尚、赤色のアミ点印刷Ｐ２の部分に印刷される、料金の領収等の利用金の支払いに関するデータは機械による読み取りや複写の必要が無いため、好みの色の任意の密度の網点印刷又はベタ印刷、地紋印刷等を使用すめことが出来る、より高品質のハンディターミナル用プリンタ用紙を実現することが出来る。
図５は、本発明のハンディターミナル用プリンタ用紙を使用するハンディターミナルのプリント機能を説明するためのフローチャートである。
本発明のハンディターミナル用プリンタ用紙を使用するハンディターミナルでは、検針結果のプリントだけでなく、振込用紙を添付した使用料金の請求書、領収書等の異なったパターンのプリントを選択的に行なえるようにしている。このために、ハンディターミナルには検針結果のプリントだけでなく、振込用紙を添付した使用料金の請求書、領収書等の異なったパターンをプリントするためのフォーマットがあらかじめ準備されており、ハンディターミナルの使用者の選択により、又はあらかじめ、セットされた利用者のデータに基ずいて、必要なフォーマットが選択され、選択されたフォーマットの中に検針結果のデータが挿入された形でプリントされる。
【００１３】
この動作を図５のフローチャートに従って説明する。検針者がハンディターミナルに検針の結果を入力し、プリントフォーマットの種類設定を行った後に、プリント開始のスタートボタンを押す。スタートボタンが押されると、ハンディターミナルは検針の結果に対して、プリントに必要なデータを得るための各種の計算処理を行なう。計算処理が終了すると、ハンディターミナルは利用者の支払い形態の検出を行なう。支払い形態の検出は、利用者がどのような形で料金の支払いを行なうかを検出するものである。利用者が、銀行口座より自動引落の契約を行なっているかどうか、自動引落の契約を行なってい場合には、利用者が料金の振込を郵便局から行なうのか、銀行又はコンビニエンスストアから料金支払いを行なうのかの支払い形態を検出する。
ハンディターミナルは、支払い形態が検出されると、これに合致した印刷情報の編集を行なう。ハンディターミナルは、印刷情報の編集が行なわれると、印刷情報をプリントするための、適合レイアウトの選定を行なう。適合レイアウトの選定では、利用者の料金の支払い形態に合わせたプリントフォーマットの設定が行なわれる。プリントフォーマットは、支払い形態と支払い先により異なっているので、利用者の料金の支払い形態に合わせたプリントフォーマットが選定される。
【００１４】
印刷情報の編集と適合レイアウトの選定が終わると、ハンディターミナルは印刷情報と適合レイアウトの情報を同時にプリンタに供給し、これら二つの情報の同時印刷を行ない、印刷結果として、利用者の料金の支払い形態に合わせたフォーマットに、検針結果のデータの印刷情報のプリントされたプリントフォーマットを得ることが出来る。
このように、口座振り替えの契約を行なっていない利用者に対しては、検針結果の使用量とこれに対する利用金をプリントした、お知らせ票のフォーマットと共に、利用者の使用する振込先の振込用紙に振込に必要なデータのプリントされた振込用紙の組み合わされた、プリントが行われる。お知らせ票と共に、利用者の使用する振込先の振込用紙に、振込に必要なデータのプリントされた振込用紙を渡された利用者は、その振込用紙を振込先に持っていけば直ちに振込の手続きを行なうことができ振込先ではその振込用紙を機械処理することが出来る。
【００１５】
【発明の効果】
以上の説明より明らかなように、本発明は、ガス、水道、電力等の使用量を検針しその結果を現場で印字するようにしたハンディターミナルで使用されるハンディターミナル用プリンタ用紙において、印字される部分に１７５線／インチ以上で面積率が１０％以下の読み取りセンサーに感応しないアミ点印刷を行なうことにより、多種類の刷色の印刷による色分けを可能にして、検針結果のお知らせ、振込用紙を添付した使用料金の請求書、領収書等の異なったパターンのプリントをアミ点印刷に選択的に行なえるようにして、見やすい高品質のプリントを行なえるようにしたハンディターミナル用プリンタ用紙を実現したものである。
このために、利用者はその振込用紙を振込先に持っていけば直ちに振込の手続きを行なうことができ振込先ではその振込用紙を機械処理することが出来る。又、電気、ガス、水道等の供給業者は、口座振り替えの契約を行なっていない利用者に対して改めて、振り替え用紙を付けた請求書を送る手続きが不要になるため、非常に効率の良い集金業務を行なうことが可能になる。このように、利用者の料金支払形態に応じて、必要な様式の任意のプリントフォーマットを選定してプリントすることにより、効率の良い付加価値の高い検針業務を行なうことが出来る。
【図面の簡単な説明】
【図１】感熱紙を黒く印字発色させることに記録された
データのプリントと、これを光学読み取り装置より読み取った出力を示す。
【図２】光学読み取り装置による読み取り試験の結果を示す。
【図３】図３は本発明を実施したハンディターミナル用プリンタ用紙一実施例を示す説明図である。
【図４】本発明のハンディターミナル用プリンタ用紙各種の異なったパターンのプリントの例を示したものである。
【図５】本発明のハンディターミナル用プリンタ用紙を使用するハンディターミナルのプリント機能を説明するためのフローチャートである。
【符号の説明】
ｍ・・・ミシン目，
Ｐ１・・・プリントパターンの特定の部分に行われたピンク色のアミ点印刷，
Ｐ２・・・プリントパターンのピンク色のアミ点印刷以外の部分に行われた赤色のアミ点印刷，
ｄｔ・・・プリント位置決めの為のセンサーマーク，
ＰＲ・・・注意書や宣伝等の印刷，
【図１】
2004167993.tif 000003
【図２】
2004167993.tif 000004
【図３】
2004167993.tif 000005
【図４】
2004167993.tif 000006
【図５】
2004167993.tif 000007